(57)【特許請求の範囲】
【請求項１】
複数本の支柱と、該支柱を相互につなぎ合わせる複数本の腕木材と、該腕木材の相互間に差し渡されその上面に歩行通路、作業床を形成する床付き布枠とを備えた仮設足場につき、該仮設足場の階段開口部に設けられる手摺枠であって、
該階段開口部の桁側に配置される桁側枠と、該階段開口部の妻側に配置され該桁側枠との間で折り畳み可能に連結する妻側枠とを備え、
該桁側枠は、階段開口部の桁側縁部に沿って配置される桁側幅木を有し、該妻側枠は、階段開口部の妻側縁部に沿って配置される妻側幅木を有し、
前記桁側枠は、前記腕木材の相互間において水平姿勢で差し渡されるロア部材と、該ロア部材の端部において立ち上がる第１の竪架材と、該ロア部材と平行に配置され該第１の竪架材の上端に連結するアッパ部材と、該第１の竪架材と平行に配置され該アッパ部材および該ロア部材をそれらの他端において相互に連結する第２の竪架材と、該ロア部材および該アッパ部材と平行に配置され一端が該第１の竪架材につながり他端が該第２の竪架材につながる桁側桟部材とからなり、
前記妻側枠は、該アッパ部材の直下で該第１の竪架材に回旋可能に連結するとともに該第１の竪架材の軸芯に直交する向きに伸延する横架材と、該横架材の伸延端において吊り下げ保持される垂下材と、一端が該垂下材に連結し他端が該第１の竪架材に回旋可能に連結する妻側桟部材とからなり、
該桁側幅木は、該第１の竪架材、第２の竪架材の相互間で該ロア部材の上面にて立ち上がり該床付き布枠と該階段開口部との境界を形成するものであり、
該妻側幅木は、該桁側枠の第１の竪架材と該垂下材との相互間で該桁側幅木と同一水平面レベルにおいて立ち上がり該床付き布枠と該階段開口部との境界を形成するとともに該第１の竪架材に回旋可能に連結するものであることを特徴とする仮設足場における階段開口部の手摺枠。
【請求項２】
前記横架材、前記妻側桟部材および前記妻側幅木は、前記第１の竪架材の軸芯と同心の回旋軸を有することを特徴とする請求項１に記載した仮設足場における階段開口部の手摺枠。
【請求項３】
前記桁側枠は、前記桁側桟部材と前記アッパ部材とを相互に連結する少なくとも１本の補強用竪架材を有することを特徴とする請求項１または２に記載した仮設足場における階段開口部の手摺枠。
【請求項４】
前記桁側桟部材は、手摺枠の折り畳みに際して前記垂下材との干渉部位を受け入れる凹部を有することを特徴とする請求項１〜３のいずれか１項に記載した仮設足場における階段開口部の手摺枠。
【請求項５】
前記垂下材は、手摺枠の折り畳みに際して前記桁側桟部材との干渉部位を受け入れる凹部を有することを特徴とする請求項１〜４のいずれか１項に記載した仮設足場における階段開口部の手摺枠。
【発明の詳細な説明】
【技術分野】
【０００１】
本発明は、建築現場や土木工事現場で構築される仮設足場の階段開口部の手摺枠に関するものである。
【背景技術】
【０００２】
建築現場や土木工事現場において使用される工事用の仮設足場は、複数本の支柱と、これらの支柱を相互につなぐ複数本の腕木材と、腕木材の相互間に差し渡され、作業床や通路を形成する複数枚の床付き布枠とを適宜組み合わせて構築される。
【０００３】
仮設足場の床付き布枠は、建築物等の高さに沿い所定の間隔をおいて設けられた複数階層のそれぞれに設置されるものであって、各階層への移動にはその相互間に設置された階段が利用されている。
【０００４】
仮設足場の階段は、具体的には、床付き布枠が設置される部分に、平面矩形状をなす階段開口部を設けるとともに、その階段開口部に階段本体部分を組み付けることによって構成されており、該階段開口部の桁側縁部、妻側縁部には、 安全性を確保する観点から手摺枠が取付けられている。
【０００５】
かかる手摺枠は、階段開口部の桁側に配置される桁側枠と、階段開口部の妻側に配置され該桁側枠に連結する妻側枠とを備えたＬ字形状（平面視）をなすものが一般的であり、この点に関する先行技術としては、例えば、特許文献１に開示された手摺枠が知られている。
【先行技術文献】
【特許文献】
【０００６】
【特許文献１】特開２０１４−５５４９４号公報
【発明の概要】
【発明が解決しようとする課題】
【０００７】
上記文献に開示された手摺枠は、両端につかみ部材を有し、腕木材とそれに対向して配される他の腕木材とに掛け渡される布地材と、該布地材から上方に延びた複数の支柱材に連結されて該布地材に対して平行に設けられた複数の手摺材と、複数の手摺材によって支持され仮設足場の妻側に延出された妻側手摺枠とを備え、複数の手摺枠は、それらの一端同士が他の腕木材の上方位置まで延出されており、その他方端が支柱のいずれかに取り付けられたものであって、これによれば、妻側手摺枠を腕木材の上方で該腕木材と平行に配置することができるので、階段開口部の妻側縁部と妻側手摺枠の間で形成される略三角形の空白部分をなくすことが可能となり、安全性の高い階段開口部用手摺枠が提供できるとされていた。
【０００８】
ところで、近年、この種の手摺枠においては、安全性をより一層高めるために階段開口部の桁側および妻側にそれぞれ高さ１００ｍｍ程度の幅木を設置することが義務付けられるようになってきており（労働安全衛生法規則第５６３条関係）、その対応のために、幅木の代替をなす板材を手摺枠の支柱に番線によって固定する煩雑な作業（幅木の取り外しも含む）を必要としているのが現状であり、その改善が求められていた。
【０００９】
本発明の課題は、幅木の取付け、取り外し等の煩雑な作業を不要にして仮設足場の効率的な構築、解体を実現し得る仮設足場における階段開口部の手摺枠を提案するところにある。
【課題を解決するための手段】
【００１０】
本発明は、複数本の支柱と、該支柱を相互につなぎ合わせる複数本の腕木材と、該腕木材の相互間に差し渡されその上面に歩行通路、作業床を形成する床付き布枠とを備えた仮設足場につき、該仮設足場の階段開口部に設けられる手摺枠であって、該階段開口部の桁側に配置される桁側枠と、該階段開口部の妻側に配置され該桁側枠との間で折り畳み可能に連結する妻側枠とを備え、該桁側枠は、階段開口部の桁側縁部に沿って配置される桁側幅木を有し、該妻側枠は、階段開口部の妻側縁部に沿って配置される妻側幅木を有することを特徴とする仮設足場における階段開口部の手摺枠である。
【００１１】
上記の構成からなる階段開口部の手摺枠においては、該桁側枠を、該腕木材の相互間において水平姿勢で差し渡されるロア部材と、該ロア部材の端部において立ち上がる第１の竪架材と、該ロア部材と平行に配置され該第１の竪架材の上端に連結するアッパ部材と、該第１の竪架材と平行に配置され該アッパ部材および該ロア部材をそれらの他端において相互に連結する第２の竪架材と、該ロア部材および該アッパ部材と平行に配置され一端が該第１の竪架材につながり他端が該第２の竪架材につながる桁側桟部材とで構成し、該妻側枠を、該アッパ部材の直下で該第１の竪架材に回旋可能に連結するとともに該第１の竪架材の軸芯に直交する向きに伸延する横架材と、該横架材の伸延端において吊り下げ保持される垂下材と、一端が該垂下材に連結し他端が該第１の竪架材に回旋可能に連結する妻側桟部材とで構成する。
【００１２】
該桁側幅木については、該第１の竪架材、第２の竪架材の相互間で該ロア部材の上面にて立ち上がり該床付き布枠と該階段開口部との境界を形成するものを適用し、該妻側幅木については、該桁側枠の第１の竪架材と該垂下材との相互間で該桁側幅木と同一水平面レベルにおいて立ち上がり該床付き布枠と該階段開口部との境界を形成するとともに該第１の竪架材に回旋可能に連結するものを適用する。
【００１３】
また、上記の構成からなる階段開口部の手摺枠において、前記横架材、前記妻側桟部材および前記妻側幅木は、前記第１の竪架材の軸芯と同心の回旋軸を有するものが好ましい。前記桁側枠には、前記桁側桟部材と前記アッパ部材とを相互に連結する少なくとも１本の補強用竪架材を設けることができる。
【００１４】
さらに、前記桁側桟部材には、手摺枠の折り畳みに際して前記垂下材との干渉部位を受け入れる凹部を設けることができ、前記垂下材には、手摺枠の折り畳みに際して該桁側桟部材との干渉部位を受け入れる凹部を設けることができる。
【発明の効果】
【００１５】
本発明の仮設足場における階段開口部の手摺枠によれば、桁側枠と妻側枠のそれぞれに予め幅木が備えられているため、手摺枠の設置と取付け、取り外しと同時に幅木の設置が可能であり、幅木の取付け、取り外しにかかる煩雑な作業は不要となる。
【００１６】
妻側枠については、横架材、妻側桟部材および妻側幅木が、第１の竪架材の軸芯と同心の回旋軸を有しているため、該妻側枠の可動範囲が大幅に拡大される。
【００１７】
また、本発明の手摺枠によれば、桁側桟部材とアッパ部材との間に、それらを相互に連結する少なくとも１本の補強用竪架材を設けることにより桁側枠の強度の改善を図ることができる。
【００１８】
さらに、本発明の手摺枠によれば、桁側桟部材に、手摺枠の折り畳みに際して垂下材との干渉部位を受け入れる凹部を設けるか、あるいは垂下材に、手摺枠の折り畳みに際して桁側部材との干渉部位を受け入れる凹部を設けるようにしたため、手摺枠を収納するときフラットな状態で折り畳むことができる。
【図面の簡単な説明】
【００１９】
【図１】本発明にしたがう手摺枠を仮設足場の階段開口部に設置した状態を模式的に示した外観斜視図である。
【図２】図１に示した手摺枠の正面を示した図である。
【図３】図１に示した手摺枠の側面を示した図である。
【図４】図１に示した手摺枠の平面を示した図である。
【図５】横架材、妻側桟部材、妻側幅木の取付け状況を示した断面図である。
【図６】クランプの使用状況を示した図である。
【図７】垂下材の要部を拡大して示した図である。
【図８】妻側枠の回旋状況を示した図である。
【図９】本発明にしたがう手摺枠を階段開口部に取り付けた状態の平面図である。
【発明を実施するための形態】
【００２０】
以下、図面を参照して本発明をより具体的に説明する。
図１は、本発明にしたがう手摺枠を仮設足場の階段開口部に設置した状態を模式的に示した外観斜視図であり、図２〜４は、図１に示した手摺枠の正面、側面、平面を示した図である。
【００２１】
図における符号１は、仮設足場を構築する際に使用される支柱、２ａは、支柱１を妻側方向に沿い相互につなぎ合わせる腕木材、２ｂは、支柱１を桁側方向に沿い相互につなぎ合わせる布木材、３は腕木材２ａの相互間に差し渡されその上面に歩行通路、作業床を形成する床付き布枠である。仮設足場は、建築構造物の外観形状、高さに応じて支柱１、腕木材２ａ、２ｂ、床付き布枠３を適宜組み合わせることによって構築される。支柱１と腕木材２ａ、２ｂとは、図示はしないが例えば、支柱１の外周壁に設けられたポケットに腕木材２ａ、２ｂの端部に設けられた楔部材を入れ込むことによって連結され、床付き布枠３は、その端部に設けられたフックを腕木材２ａに引っ掛けることにより固定されるが、その連結手段や固定手段はとくに限定されない。
【００２２】
また、４は、階段開口部Ｍに設置された手摺枠である。手摺枠４は、階段開口部Ｍの縁部で桁側方向に沿って配置される桁側枠４ａと、階段開口部Ｍの縁部で妻側方向に沿って配置され桁側枠４ａとの間で折り畳み可能に連結する妻側枠４ｂから構成される。ここで、床付き布枠３が一対の短辺と一対の長辺からなる幅狭、長尺の板状体にて構成されており、かつ、床付き布枠３の短辺側に設けられたフックによって床付き布枠３が腕木材２ａに差し渡されている場合において、該床付き布枠３の長辺側を桁側、短辺側を妻側ということとする。
【００２３】
上記桁側枠４ａは、具体的には、腕木材２ａの相互間において水平姿勢で差し渡され両端部に設けられたフックを介して腕木材２ａに連係するロア部材４ａ１と、このロア部材４ａ１の端部において立ち上がる第１の竪架材４ａ２と、ロア部材４ａ１と平行に配置され該第１の竪架材４ａ２の上端に連結するアッパ部材４ａ３と、該第１の竪架材４ａ２と平行に配置され該アッパ部材４ａ３および該ロア部材４ａ１をそれらの他端において相互に連結する第２の竪架材４ａ４と、ロア部材４ａ１およびアッパ部材４ａ３と平行に配置され一端が第１の竪架材４ａ２につながり他端が第２の竪架材４ａ４につながる桁側桟部材４ａ５からなる。ロア部材４ａ１は、その少なくとも一端にはロア部材４ａ１の長手方向に沿って移動させることによってその長さを変更できる伸縮部材Ｓを有している。
【００２４】
また、上記妻側枠４ｂは、アッパ部材４ａ３の直下で第１の竪架材４ａ２に回旋可能に連結するとともに第１の竪架材４ａ２に軸芯Ｌに直交もしくは交差する向きに伸延する横架材４ｂ１と、この横架材４ｂ１の伸延端４ｂ１′において吊り下げ保持される垂下材４ｂ２と、一端が垂下材４ｂ２に連結し他端が第１の竪架材４ａ２に回旋可能に連結する妻側桟部材４ｂ３からなる。
【００２５】
５は、第１の竪架材４ａ２、第２の竪架材４ａ４の相互間でロア部材４ａ１の上面で立ち上がる桁側幅木である。この桁側幅木５によって桁側で床付き布枠３と階段開口部Ｍとの境界を形成する。桁側幅木５は、第１の竪架材４ａ２、第２の竪架材４ａ４に一体連結することができるが、ボルト等を介して取り外し可能に連結するものであってもよい。
【００２６】
６は、桁側枠４ａの第１の竪架材４ａ２と垂下材４ｂ２との相互間で桁側幅木５と同一水平レベルにおいて立ち上がる妻側幅木である。この妻側幅木６は、第１の竪架材４ａ２に回旋可能に連結しており、妻側で床付き布枠３と階段開口部Ｍとの境界を形成する。妻側幅木６は垂下材４ｂ２に一体連結するものであってもよいし、取り外し可能に連結するものであってもよい。
【００２７】
横架材４ｂ１、妻側桟部材４ｂ３および妻側幅木６は、第１の竪架材４ａ２の外側に回転可能に配置され第１の竪架材４ａ２の軸芯Ｌと一致する軸芯Ｌ１を有する、図５に示す如き環状体４ｂ１１、４ｂ３１、６ａを介して第１の竪架材４ａ２に連結されている。これにより妻側枠４ｂは、軸芯Ｌ１を回旋軸として第１の竪架材４ａ２の周りに回旋することができるようになっている。
【００２８】
図示のものは、環状体４ｂ１１、４ｂ３１、６ａをそれぞれ短尺部材で構成するとともに、とくに環状体４ｂ１１、４ｂ３１の下部にはその位置決めを行う位置決め部材Ｉを設けたものを例として示したが（図１参照）、環状体４ｂ１１、４ｂ３１、６ａを単一の管体で構成し、これを第１の竪架材４ａ２の周りに回転可能に配置することも可能であり、この点については限定されない。
【００２９】
また、７は、桁側桟部材４ａ５とアッパ部材４ａ３とを相互に連結する補強用竪架材である。この補強用竪架材７は、その本数を適宜増加させることができる。
【００３０】
８は、支柱１あるいは補強用竪架材７に連結可能なクランプである。このクランプ８は、手摺枠４を階段開口部Ｍに設置するとき支柱１に連係させ、手摺枠４の収納時（折り畳み時）に図６に示すように、補強用竪架材７に連係させる機能を有している。
【００３１】
９は、垂下材４ｂ２に設けられた凹部である。この凹部９は、その要部を拡大して図７に示すように、手摺枠４の折り畳みに際して桁側桟部材４ａ５との干渉部位を受け入れるものであって、これによりフラットな折り畳みを実現する。
【００３２】
さらに、１０は、階段開口部Ｍに設けられた階段である。この階段１０は、複数枚の踏板１０ａと、この踏板１０ａの幅端をその両側において固定する一対の本体部分１０ｂからなっている。
【００３３】
本発明の仮設足場における階段開口部Ｍの手摺枠は、上掲図１〜４に示したように、桁側枠４ａ、妻側枠４ｂにそれぞれ桁側幅木５、妻側幅木６が備え付けられているため、手摺枠の設置あるいは取り外しに際して幅木５、６を同時に取付け、取り外しができるものであって、幅木の取付けや取り外しにかかる煩雑な作業を省略することが可能であり、仮設足場の効率的な構築、解体を実現し得る。
【００３４】
また、横架材４ｂ１、妻側桟部材４ｂ３および妻側幅木６は、第１の竪架材４ａ２の軸芯Ｌと同心の回旋軸を有しているため図８に示すような回旋が可能であり、しかも手摺枠を平面視でみたとき図９に示すように、妻側枠４ｂにおいて形成される三角形の空白部分をより小さくできる利点をも有している。
【００３５】
なお、凹部９については、桁側桟部材４ａ５に設けることも可能であり、この場合、凹部９は、垂下材４ｂ２の干渉部位を受け入れるものとすればよい。
【産業上の利用可能性】
【００３６】
本発明によれば、幅木の取付け、取り外しに要する煩雑な作業が不要な階段開口部の手摺枠が提供できる。
【符号の説明】
【００３７】
１      支柱
２ａ    腕木材
２ｂ    腕木材
３      床付き布枠
４      手摺枠
４ａ    桁側枠
４ａ１  ロア部材
４ａ２  第１の竪架材
４ａ３  アッパ部材
４ａ４  第２の竪架材
４ａ５  桁側桟部材
４ｂ    妻側枠
４ｂ１  横架材
４ｂ１′伸延端
４ｂ２  垂下材
４ｂ３  妻側桟部材
５      桁側幅木
６      妻側幅木
７      補強用竪架材
８      クランプ
９      凹部
１０    階段
Ｍ      階段開口部
【図１】
0006574726.tif 000002
【図２】
0006574726.tif 000003
【図３】
0006574726.tif 000004
【図４】
0006574726.tif 000005
【図５】
0006574726.tif 000006
【図６】
0006574726.tif 000007
【図７】
0006574726.tif 000008
【図８】
0006574726.tif 000009
【図９】
0006574726.tif 000010